(57)【特許請求の範囲】
【請求項１】
接合部で切り離して廃棄するパンツ型使い捨て吸収性物品であって、
前記吸収性物品の着衣側面に、前記接合部を跨がないようにタグが固定されており、
前記吸収性物品は、着用時に着用者の腹側に位置する腹側部と、背側に位置する背側部と、前記腹側部と前記背側部とを接合する前記接合部と、を有し、
前記接合部は、前記腹側部の幅方向両端部に延在する腹側接合部と、前記背側部の幅方向両端部に延在する背側接合部とを有し、
前記タグは、前記腹側接合部及び前記背側接合部のうち、いずれか一方のみに固定され、
前記タグは、一対の、前記腹側接合部又は前記背側接合部に固定される固定部と、前記固定部から延在する非固定部と、を有し、
前記タグは、前記非固定部において、前記固定部と前記非固定部との境界線に沿って延在し、前記タグを前記吸収性物品から取り外すための脆弱部を備えることを特徴とする、吸収性物品。
【請求項２】
前記非固定部が、前記吸収性物品の幅方向中央軸線に向かって延在する、請求項１に記載の吸収性物品。
【請求項３】
前記タグと前記腹側接合部又は前記背側接合部のうち、前記タグが固定されている一方との破断強度は、前記腹側接合部と前記背側接合部との破断強度よりも小さい、請求項１又は２に記載の吸収性物品。
【請求項４】
前記タグは、ループ型タグであり、前記ループ型タグの対向する二つの端縁が、前記着衣側面に固定されている、請求項１〜３のいずれか一項に記載の吸収性物品。
【請求項５】
前記タグの外形が、平面視にて、動物、植物、乗り物のいずれかのシルエット、又はハート型の形状を有する、請求項１〜４のいずれか一項に記載の吸収性物品。
【請求項６】
前記タグは、一方の外表面と、前記一方の外表面と反対側に存在する他方の外表面とを有し、
前記一方の外表面と前記他方の外表面とのいずれにも識別情報が記載されている、請求項１〜５のいずれか一項に記載の吸収性物品。
【請求項７】
前記タグが、前記吸収性物品を丸めた状態で固定するための後処理部を含む、請求項１〜６のいずれか一項に記載の吸収性物品。
【発明の詳細な説明】
【技術分野】
【０００１】
本開示は、パンツ型使い捨て吸収性物品に関する。
【背景技術】
【０００２】
吸収性物品では、吸収性物品の着衣側面に識別タグを取り付けることが知られている。
より具体的には、特許文献１には、同文献の図５に示されるように、紙おむつ２００には、腹側バックシート部１０３ａと背側バックシート部１０３ｂとの接着領域において、紙おむつの前後を表示する識別タグ９が取り付けられている。識別タグ９は、腹側バックシート部１０３ａと背側バックシート部１０３ｂとで形成されるサイドフラップを挟み込んで固定されることによって備えられる。また、識別タグ９の腹側部１００Ａ側の面には、腹側形成部材に施された色であって、第１の色である緑色が、背側部１００Ｂ側の面には、背側形成部材に施された色であって、第２の色である橙色が施される。また、第１の色を有する識別タグ表面には、「前側」を意味する文字が、第２の色を有する識別タグ表面には「後側」を意味する文字が配される吸収性物品が開示されている。
【先行技術文献】
【特許文献】
【０００３】
【特許文献１】特開２００５−２３７７６８号公報
【発明の概要】
【発明が解決しようとする課題】
【０００４】
特許文献１に記載の吸収性物品においては、着用者若しくは介護者が、おむつ２００を使用する際に前後の区別を行うにあたっては、識別タグ９を含む、さらに広範囲からおむつの前後区別のための情報を得られるのみならず、識別タグ９に配された、前後を表示する文字によっても視認できる。従って、視力の弱い装着者であっても、装着時に前後の区別を容易に行うことができ、装着の向きを容易に判断することができる。
【０００５】
ところで、パンツ型使い捨て吸収性物品の場合、使用後に、体液や排泄物が着用者に付着することを防止するため、腹側部と背側部とを接合する接合部等で切り離して廃棄する処理が行われるのが一般的である。しかしながら、特許文献１に記載のものの場合、識別タグ９は、腹側バックシート部１０３ａと背側バックシート部１０３ｂとの接合部を含むサイドフラップを跨ぐように固定されているため、識別タグ９が上記切り離しの作業の際に邪魔となり、吸収性物品の廃棄処理を円滑に行えない場合があった。
【０００６】
したがって、本発明の技術的課題は、着用者又は使用者に視認され易いタグを備えると共に、接合部で切り離して廃棄する処理を円滑に行うことができる吸収性物品を提供することにある。
【課題を解決するための手段】
【０００７】
前記課題を解決するため、本発明の吸収性物品は、接合部で切り離して廃棄するパンツ型使い捨て吸収性物品において、
前記吸収性物品の着衣側面に、前記接合部を跨がないようにタグが固定されている。
【発明の効果】
【０００８】
本発明の吸収性物品によれば、着用者又は使用者に視認され易いタグを備えると共に、接合部で切り離して廃棄する処理を円滑に行うことができる。
【図面の簡単な説明】
【０００９】
【図１】図１は、着用状態にある、本発明に係るパンツ型使い捨て吸収性物品としての使い捨てのパンツ型おむつ１の斜視図である。
【図２】図２は、図１のパンツ型おむつ１の展開図である。
【図３】図３は、図１のパンツ型おむつ１の要部拡大図である。
【図４】図４は、展開状態のタグ３７を示す図である。
【図５】図５は、変形例に係る吸収性物品におけるタグの接合態様を示す図である。
【図６】図６は、別の変形例に係る吸収性物品におけるタグの識別情報のバリエーションを示す図である。
【図７】図７は、さらに別の変形例に係る吸収性物品におけるタグの外形のバリエーションを示す図である。
【図８】図８は、さらに別の変形例に係る吸収性物品において、後処理部を含むタグを示す図である。
【図９】図９は、パンツ型おむつ１のタグ３７を、脆弱部３７２において破断した後の状態を示す図である。
【図１０】図１０は、パンツ型おむつ１を接合部９で切り離す作業を模式的に示す図である。
【発明を実施するための形態】
【００１０】
本発明は、以下の態様に関する。
［態様１］
接合部で切り離して廃棄するパンツ型使い捨て吸収性物品であって、
前記吸収性物品の着衣側面に、前記接合部を跨がないようにタグが固定されていることを特徴とする、吸収性物品。
態様１によれば、タグが、接合部を跨がないように固定されており、吸収性物品を着用者から取り外すために接合部で切り離すときに、タグが切り離しの妨げにならないので、吸収性物品を切り離して廃棄する処理を円滑に行うことができる。また、タグが吸収性物品の着衣側面に固定されており、吸収性物品の着衣側面に存在するので、タグが、着用者又は使用者に視認され易い。
【００１１】
［態様２］
前記吸収性物品は、着用時に着用者の腹側に位置する腹側部と、背側に位置する背側部と、前記腹側部と前記背側部とを接合する前記接合部と、を有し、
前記接合部は、前記腹側部の幅方向両端部に延在する腹側接合部と、前記背側部の幅方向両端部に延在する背側接合部とを有し、
前記タグは、前記腹側接合部及び前記背側接合部のうち、いずれか一方のみに固定されている、態様１に記載の吸収性物品。
態様２によれば、タグが、腹側接合部及び背側接合部のうち、いずれか一方のみに固定されており、腹側接合部及び背側接合部の両方に跨がるように固定されていないので、少なくとも腹側部と背側部との二部材を含む吸収性物品を着用者から取り外すために、腹側部と背側部とを腹側接合部と背側接合部とにおいて切り離すときに、タグが切り離しの妨げにならないので、吸収性物品を複数の部材に切り離して、吸収性物品を廃棄する処理をより円滑に行うことができる。
【００１２】
［態様３］
前記タグは、一対の、前記腹側接合部又は前記背側接合部に固定される固定部と、前記固定部から延在する非固定部と、を有する、態様２に記載の吸収性物品。
態様３によれば、タグが、一対の、腹側接合部又は背側接合部に固定される固定部と、固定部から延在する非固定部とを有するので、使用者が非固定部においてタグを指で掴み易く、吸収性物品がより持ち運び易い。
【００１３】
［態様４］
前記非固定部が、前記吸収性物品の幅方向中央軸線に向かって延在する、態様３に記載の吸収性物品。
態様４によれば、非固定部が、吸収性物品の幅方向中央軸線に向かって延在し、タグが、固定部を基点として吸収性物品の幅方向外方に延出しないので、着用者が記吸収性物品の上にズボンやスカートを着用するときに、タグが邪魔にならない。
【００１４】
［態様５］
前記タグは、前記非固定部において、前記固定部と前記非固定部との境界線に沿って延在する脆弱部を備える、態様３又は４に記載の吸収性物品。
態様５によれば、タグは、非固定部において、固定部と非固定部との境界線に沿って延在する脆弱部を備え、脆弱部においてタグを破断して、吸収性物品から容易に取り外せるので、タグと吸収性物品とを別々に廃棄し易くなる。
【００１５】
［態様６］
前記タグと前記腹側接合部又は前記背側接合部のうち、前記タグが固定されている一方との破断強度は、前記腹側接合部と前記背側接合部との破断強度よりも小さい、態様２〜５のいずれか一項に記載の吸収性物品。
態様６によれば、タグと腹側接合部又は背側接合部のうち、前記タグが固定されている一方との破断強度は、腹側接合部と背側接合部との破断強度よりも小さいので、腹側接合部と背側接合部とを破断することなく腹側接合部又は背側接合部からタグを容易に取り外すことができ、タグと吸収性物品とを別々に廃棄し易くなる。
【００１６】
［態様７］
前記タグは、ループ型タグであり、前記ループ型タグの対向する二つの端縁が、前記着衣側面に固定されている、態様１〜６のいずれか一項に記載の吸収性物品。
態様７によれば、タグが、ループ型タグであり、ループ型タグの対向する二つの端縁が、着衣側面に固定されており、ループ型でない単なるシート型の場合よりも厚みと剛性があるので、タグを指でより掴み易く、また形状を保持し易いので、より視認し易くなる。さらに、目的に応じてループの大きさを調整することで、タグのループ部分に指を入れて吸収性物品を持ち運んだり、ループ部分を取っ手等から吊り下げることができたりし、吸収性物品の持ち運び易さや扱い易さが増す。
【００１７】
［態様８］
前記タグの外形が、平面視にて、動物、植物、乗り物のいずれかのシルエット、又はハート型の形状を有する、態様１〜７のいずれか一項に記載の吸収性物品。
態様８によれば、タグの外形が、平面視にて、動物、植物、乗り物のいずれかのシルエット、又はハート型の形状を有すると、タグにデザイン性を持たせて、着用者に吸収性物品に対する親しみや愛着を感じさせることができると共に、より視認され易く、且つ、タグの外形により着用者又は使用者が誰であるかを識別し易い。
【００１８】
［態様９］
前記タグは、前記タグは、一方の外表面と、前記一方の外表面と反対側に存在する他方の外表面とを有し、
前記一方の外表面と前記他方の外表面とのいずれにも識別情報が記載されている、態様１〜８のいずれか一項に記載の吸収性物品。
態様９によれば、タグは、一方の外表面と、一方の外表面と反対側に存在する他方の外表面の両面において識別情報が記載されており、タグのどちら側の外表面からも識別情報を得ることができるので、タグが翻っていても視認性が良いと共に、一方又は他方の外表面のみに記載されている場合と比べて、より多くの識別情報を記載できる。
【００１９】
［態様１０］
前記タグは、前記タグが、前記吸収性物品を丸めた状態で固定するための後処理部を含む、態様１〜９のいずれか一項に記載の吸収性物品。
態様１０によれば、タグが、吸収性物品を丸めた状態で固定するための後処理部を含み、使用者が吸収性物品の使用後にこれを小さく丸めて後処理部で止着することができ、吸収性物品の廃棄処理を円滑に行うことができると共に、吸収性物品がタグとは別部材として後処理部材を備える場合に比べて、後処理部材に使用する資材を節約でき、且つ、吸収性物品の外観がすっきりする。
【００２０】
以下、本発明に係る吸収性物品を図面に基づいて詳細に説明する。
【００２１】
なお、本明細書においては、特に断りのない限り、「展開した状態で水平面上に置いた対象物（例えば、吸収性物品等）を、垂直方向の上方側から対象物の厚さ方向に見ること」を、単に「平面視」という。
【００２２】
下記に、平面視における各種の定義をするが、本明細書において、対象物の説明を行う際には、非展開状態にある対象物を説明する場合にも、便宜上、これらの平面視における定義を用いて説明することとする。
【００２３】
そして、本明細書において、「長さ方向Ｌ」は、「平面視における対象物の長手方向」を指し、「幅方向Ｗ」は、「平面視における対象物の幅方向（短手方向）」を指し、「厚さ方向Ｔ」は、「展開した状態で水平面上に置いた対象物の厚さ方向」を指し、これらの長さ方向Ｌ、幅方向Ｗ及び厚さ方向Ｔは、それぞれ互いに直交する関係にある。
【００２４】
さらに、本明細書では、「縦長の対象物（例えば、吸収性物品等）の幅方向Ｗにおいて、長さ方向Ｌに延びる幅方向中央軸線ＣＬに相対的に近い側」を「幅方向における内方側」といい、「前記縦長の対象物の幅方向Ｗにおいて、前記幅方向中央軸線ＣＬから相対的に遠い側」を「幅方向における外方側」という。
【００２５】
また、本明細書では、「吸収性物品の厚さ方向Ｔにおいて、同一シートの対向する２つの面において、着用者の肌面に相対的に近い側の面」を「肌側面」といい、「吸収性物品の厚さ方向Ｔにおいて、同一シートの対向する２つの面において、着用者の肌面に相対的に遠い側の面」を「着衣側面」という。
【００２６】
（実施形態）
図１は、着用状態にある、本発明に係るパンツ型使い捨て吸収性物品としての使い捨てのパンツ型おむつ１の斜視図である。また、図２は、図１のパンツ型おむつ１の部分破断展開図、すなわち、パンツ型おむつ１について、後述する接合部９における接合を外して、伸展した状態のものを平面視し、一部破断した図である。図１及び２に示すように、パンツ型おむつ１は、股間部５と、股間部５と長手方向Ｌにおいて、幅方向Ｗに延びる一方の端部側に隣接し、着用時に着用者の腹側にある腹側部３と、股間部５と長手方向Ｌにおいて、幅方向Ｗに延びる他方の端部側に隣接し、着用時に着用者の背側にある背側部７と、に区画される。図２に示されるように、本実施形態において、腹側部３と股間部５との境界線及び、股間部５と背側部７との境界線はそれぞれ、展開状態におけるパンツ型おむつ１の幅方向Ｗの両端部において、後述する脚周り開口１３を形成する切欠きの始点である２点ＰＦ、ＰＦを結んだ線、及び前記切欠きの終点である２点ＰＢ、ＰＢを結んだ線である。また、腹側部３と背側部７とは、それぞれの幅方向Ｗ両端部に位置する接合部９で接合されている。
【００２７】
より具体的には、接合部９は、腹側部３の幅方向Ｗ両端部において、長手方向Ｌに延在する腹側接合部９１と、背側部７の幅方向Ｗ両端部において、長手方向Ｌに延在する背側接合部９３とをそれぞれ有する。腹側接合部９１と背側接合部９３とは、熱融着により接合して胴周り開口１１を形成するとともに、股間部５と協働して一対の脚周り開口１３、１３を形成している。
【００２８】
パンツ型おむつ１は、後述するように、使用後には、接合部９において腹側部３と背側部７とを切り離すことにより着用者から取り外すことができる。
なお、本実施形態においては、パンツ型おむつ１が腹側部３と股間部５と背側部７との３部材に区画されているが、本発明に係る吸収性物品はこの構成に限定されず、例えば、前方部と後方部との２つの部分のみに区画される構成や、脇腹部等を含む４つの部分以上に区画される構成を有していてもよい。また、本発明に係る吸収性物品は、パンツ型おむつにも限定されず、例えば、使い捨てショーツ等、おむつ以外の吸収性物品であってもよい。
【００２９】
胴周り開口１１の周縁部を画成している腹側フラップ１５と背側フラップ１７とには、腹側弾性部材１９１と背側弾性部材１９３とからなる胴回り弾性部材１９が伸長状態で取り付けられている。また、脚周り開口１３の周縁部を画成している右脚周りフラップ２１（図２参照）と左脚周りフラップ２３とには、右脚周り弾性部材２５１（図２参照）と左脚周り弾性部材２５３とからなる脚周り弾性部材２５が伸長状態で取り付けられている。
【００３０】
図２を参照して、パンツ型おむつ１の構成部材についてより詳細に説明する。パンツ型おむつ１は、肌面側に液透過性のトップシート２７、着衣面側に液不透過性のバックシート２９をそれぞれ有し、これら両シート２７、２９間に介在する吸収体３１を含んでいる。
【００３１】
腹側及び背側弾性部材１９１，１９３と右脚周り弾性部材２５１と左脚周り弾性部材２５３とは、トップシート２７とバックシート２９との間にあって、これら両シート２７，２９の少なくとも一方にホットメルト接着剤（図示せず）を介して接合している。
【００３２】
ただし、図１を参照すると、これら弾性部材１９１、１９３、２５１、２５３が収縮することによって、腹側及び背側フラップ１５、１７と右脚周りフラップ２１と左脚周りフラップ２３とにギャザー３３，３５が形成されている。
【００３３】
吸収体３１は、パンツ型おむつ１の幅方向Ｗの中央に設けられた体液吸収性材料の集合体であって、粉砕パルプや高吸収性ポリマー粒子（ＳＡＰ）を含む液体吸収性材料により構成される吸収コア３１１と、これを被覆する液透過性及び液拡散性に優れた不織布からなるコアラップ３１３とからなる。
【００３４】
図２に示される吸収体３１は、砂時計型を成していて、パンツ型おむつ１の幅方向Ｗの中央域に位置する一方、長手方向Ｌにおいては、股間部５に配置され、腹側部３及び背側部７のそれぞれには一部延出するように配置されている。トップシート２７とバックシート２９とは、同形同大に設けられ、吸収体３１の幅方向Ｗ両端部及び長手方向Ｌ両端部のそれぞれの外方において重なり合っている。また、前記外方において、接着により互いに接合し、腹側フラップ１５と、背側フラップ１７と、右脚周りフラップ２１と、左脚周りフラップ２３とを形成している。なお、腹側フラップ１５と右脚周りフラップ２１又は左脚周りフラップ２３との境界線及び、右脚周りフラップ２１又は左脚周りフラップ２３と背側フラップ１７との境界線はそれぞれ、展開状態におけるパンツ型おむつ１の幅方向Ｗの両端部において、脚周り開口１３を形成する切欠きの始点である２点ＰＦ、ＰＦを結んだ線、及び前記切欠きの終点である２点ＰＢ、ＰＢを結んだ線である。
【００３５】
腹側及び背側フラップ１５、１７においては、腹側及び背側弾性部材１９１、１９３とこれらの近傍に位置するトップシート２７とバックシート２９とが、腹側及び背側弾性部材１９１、１９３の収縮によってギャザー３３（図１参照）を形成している。
【００３６】
右脚周りフラップ２１と左脚周りフラップ２３とにおいては、右脚周り弾性部材２５１と左脚周り弾性部材２５３とこれらの近傍に位置するトップシート２７とバックシート２９とが、右脚周り弾性部材２５１と左脚周り弾性部材２５３の収縮によってギャザー３５（図１参照）を形成している。
【００３７】
図３は、図１のパンツ型おむつ１の要部拡大図である。より具体的には、パンツ型おむつ１の着衣側面におけるタグ３７を拡大した図である。
【００３８】
図１及び図３に示すように、本実施形態において、パンツ型おむつ１の着衣側面における腹側接合部９１には、タグ３７が設けられている。タグ３７は、腹側接合部９１に熱融着により固定されている固定部３７１と、固定部３７１から延在する非固定部３７３とを有し、固定部３７１と非固定部３７３とは、対をなしている。また、本実施形態においては、タグ３７は、固定部３７１の長手方向に延びる端縁と、腹側接合部９１におけるパンツ型おむつ１の幅方向端縁とが一致するように配設されており、非固定部３７３は、パンツ型おむつ１の幅方向中央軸線ＣＬに向かって延在している。
また、固定部３７１と非固定部３７３とは、境界線３７４により区画される。
また、本実施形態において、非固定部３７３は、タグ３７において、固定部３７１以外の部分をいう。
【００３９】
なお、本実施形態において、固定部３７１と非固定部３７３とは、対をなしているが、本発明に係る吸収性物品におけるタグの固定部と非固定部とは、対をなしている態様に限定されず、例えば、固定部が１つに対して、該固定部の一方向における両端部に非固定部が１つずつ、すなわち計２つ設けられ、タグ全体としてリボンのような形状を有していてもよい。
【００４０】
このように、タグ３７が、一対の、腹側接合部９１に固定される固定部３７１と、固定部３７１から延在する非固定部３７３とを有するので、使用者が非固定部３７３においてタグ３７を指で掴み易く、パンツ型おむつ１の持ち運び易さが増す。
【００４１】
また、非固定部３７３が、パンツ型おむつ１の幅方向中央軸線ＣＬ（図２）に向かって延在し、タグ３７が、固定部３７１を基点としてパンツ型おむつ１の幅方向における外方側に延出しないので、着用者が記パンツ型おむつ１の上にズボンやスカートを着用するときに、タグが邪魔にならない。
【００４２】
また、さらに別の実施形態においては、タグの固定部は腹側接合部以外の腹側部にあってもよい。ただし、タグの視認性を確保するため、タグは、吸収性物品の着衣側面に固定されていることが好ましい。
【００４３】
また、腹側弾性部材又は脚周り弾性部材と厚み方向Ｔにおいて重複する領域にタグが固定された場合、腹側弾性部材又は脚周り弾性部材の収縮によりギャザーが形成され、タグも腹側弾性部材又は脚周り弾性部材と連動して収縮し、タグの視認性が悪くなるので、タグは、これらの弾性部材と厚み方向Ｔにおいて重複する領域以外の領域に固定されることが好ましい。
【００４４】
図４は、展開状態のタグ３７を示す図である。より具体的には、タグ３７は、矩形の布帛からなり、タグ３７の一方向における中央軸線ＣＷＴにおいて折り畳まれて、ループ型を形成する。そして対向する２つの端縁３７５、３７５が、互いに重なるようにして、タグ３７が腹側接合部９１に固定され、固定部３７１を形成すると共に、固定部３７１以外の部分において、非固定部３７３を形成する。
【００４５】
本実施形態において、タグ３７は、腹側接合部９１に熱融着により固定されるが、本発明に係るタグの固定方法はこれに限定されず、例えば接着剤等の他の固定手段により固定されていてもよい。また、タグ３７の固定は、腹側部と背側部との接合部の形成と同時に行ってもよいし、該接合部の形成の前又は後に行ってもよい。
【００４６】
このように、タグ３７が、ループ型タグであり、ループ型タグの対向する二つの端縁３７５、３７５が、腹側接合部９１に固定されており、ループ型でない単なるシート型の場合よりも厚みと剛性があるので、タグ３７を指でより掴み易く、また形状を保持し易いので、より視認し易くなる。さらに、目的に応じてループの大きさを調整することで、タグ３７のループ部分に指を入れてパンツ型おむつ１を持ち運んだり、ループ部分を取っ手等から吊り下げることができたりし、パンツ型おむつ１の持ち運び易さや扱い易さが増す。
【００４７】
図４に示されるタグ３７は、展開状態において、一方向に５０ｍｍ（折り返されると２５ｍｍ）、それと直交する方向に２０ｍｍの長さを有する不織布からなり、タグ３７が中央軸線ＣＬＴにおいて折り畳まれてループ型を形成した後に外部から視認可能な一方の外表面３７７と、その反対側に存在する他方の外表面３７９とには、パンツ型おむつ１のサイズを示す「Ｌ」という識別情報が印刷により記載されている。
【００４８】
このように、タグ３７は、一方の外表面３７７と、一方の外表面３７７と反対側に存在する他方の外表面３７９の両面において識別情報が記載されており、タグ３７のどちら側の外表面からも識別情報を得ることができるので、タグ３７が翻っていても視認性が良いと共に、一方又は他方の外表面のみに記載されている場合と比べて、より多くの識別情報を記載できる。
【００４９】
なお、本発明に係る吸収性物品が備えるタグの形状、大きさ、素材は、上記したものに限定されず、タグとしての機能が発揮できる限り、いかなる形状、大きさ、素材を有していてもよい。
ただし、本発明に係る吸収性物品が備えるタグの大きさは、短手方向及び長手方向いずれにおいても、好ましくは５ｍｍ以上６０ｍｍ以下、より好ましくは１０ｍｍ以上５０ｍｍ以下、さらに好ましくは２０ｍｍ以上４０ｍｍ以下である。数値範囲の下限値は、タグに記載される識別情報の視認性の観点から、上限値は、吸収性物品の上にズボンやスカートを着用するときに邪魔にならない等の取扱い易さの観点から決定される。
また、本発明に係る吸収性物品が備えるタグの素材は、木綿、アクリル、ポリエステル、ナイロン、レーヨン等、天然又は人工の繊維の織物、編物、不織布、又は樹脂等のフィルム等、タグとして利用される一般的な素材である。
【００５０】
タグ３７と、タグ３７が固定されている腹側接合部９１との破断強度は、腹側接合部９１と背側接合部９３との破断強度よりも小さい。
【００５１】
このように、タグ３７と、タグ３７が固定されている腹側接合部９１との破断強度は、腹側接合部９１と背側接合部９３との破断強度よりも小さいので、腹側接合部９１と背側接合部９３とを破断することなく腹側接合部９１からタグ３７を容易に取り外すことができ、タグ３７とパンツ型おむつ１とを別々に廃棄し易くなる。
【００５２】
さらに、図３、４に示されるように、タグ３７には、非固定部３７３において、固定部３７１と非固定部３７３との境界線３７４に沿って延在する脆弱部３７２を備える。
なお、本実施形態において、脆弱部３７２は、境界線３７４に沿って、且つ境界線３７４に近接して設けられているが、本発明に係る吸収性物品におけるタグが備える脆弱部は、タグに識別情報が記載される領域と該識別情報が記載されていない領域とを区画している限り、任意の位置に設けられていてよい。
また、図９は、パンツ型おむつ１のタグ３７を、脆弱部３７２において破断した後の状態を示す図である。
【００５３】
このように、タグは、非固定部３７３において、固定部３７１と非固定部３７３との境界線３７４に沿って延在する脆弱部３７２を備え、脆弱部３７２においてタグを破断してパンツ型おむつ１から容易に取り外せるので、タグ３７とパンツ型おむつ１とを別々に廃棄し易くなる。
【００５４】
これは、後述の別の実施形態において説明するように、タグに記載される識別情報が、着用者の名前を書く欄に含まれる、吸収性物品の着用者の名前である場合に特に有効である。例えば、幼稚園、保育園等では、通園に当たり、その日に園児が使用する予定の予備のおむつに、園児の名前を記載の上、提出することが必要となる場合がある。そのような場合に、上記の構成とすると、着用者の名前といった重要な個人情報が記載されたタグを、使用後に容易に吸収性物品から取り外し、タグと吸収性物品とを別々に廃棄し易くなるので、吸収性物品の使用者等の安心感が増す。
本吸収性物品における脆弱部は、例えば、ミシン目を付けて形成できる。また、脆弱部に変えて、タグに切欠きを設けてその切欠きにより吸収性物品を破れ易くしてもよい。
【００５５】
ここで、破断強度の大小の評価は、以下の通り行うものとする。
（１）タグが腹側接合部又は背側接合部に固定された吸収性物品を、平面方向において、タグと腹側部と背側部とが同形同大となるように切り取る。固定部が延在する方向（すなわち、腹側接合部及び背側接合部が延在する方向）の端縁を含み、且つ、タグの非固定部が、引張り方向（すなわち、固定部が延在する方向と直交する方向）に２５ｍｍ、引張り方向と直交する方向（すなわち、固定部が延在する方向）に２０ｍｍの大きさとする。
ただし、本評価においては、タグに脆弱部が設けられていない吸収性物品のサンプルを用いることとする。
なお、本試験のサンプルは、引張り方向と直交する方向に２０ｍｍであるとしたが、後述のチャックが確実にセットできる限り、適宜調整可能である。
（２）タグと、腹側部又は背側部のうち、タグが固定されていない方（以下、部材Ａという。）とをテンシロン試験機に供する。
（３）前記テンシロン試験機における一方のチャックにタグを、他方のチャックに部材Ａを、それぞれ取り付け、中央に腹側部と背側部との接合部が位置するように調整しつつ、チャック幅を３０ｍｍにセットする。
（４）引張速度は３０ｍ／ｍｉｎで引張り試験を行い、サンプルにおける破断がどこで起きるかを観察する。
（５）（ｉ）腹側部又は背側部のうち、タグが固定されている方（以下、部材Ｂという。）とタグとの間に破断がおきていれば、タグと部材Ｂとの破断強度は、部材Ａと部材Ｂとの破断強度よりも小さいと評価する。
（ｉｉ）部材Ａと部材Ｂとの間に破断がおきていれば、タグと部材Ｂとの破断強度は、部材Ａと部材Ｂとの破断強度よりも大きいと評価する。
【００５６】
（変形例１）
図５は、前記実施形態の変形例１に係る吸収性物品におけるタグの接合態様を示す図である。なお、本変形例１における吸収性物品は、タグ３９の構造以外は、基本的に前記実施形態と同様であり、同じ作用効果を奏するため、同様の符号を付して詳細な説明は省略する。
【００５７】
前記実施形態では、タグ３７は、固定部３７１の長手方向に延びる端縁と、腹側接合部９１の幅方向側端縁とが一致するように配設されており、非固定部３７３は、パンツ型おむつ１の幅方向中央軸線ＣＬに向かって延在していたが、本変形例１においては、タグ３９の対向する２つの端縁３９３、３９３が、互いに重なるようにして、タグ３９は、腹側接合部９１に熱融着により固定され、腹側接合部９１と重複する部分において固定部３９５を形成すると共に、固定部３９５から延在する非固定部３９７は、吸収性物品の幅方向における外方側に延出している。
【００５８】
図６は、前記実施形態の変形例２〜変形例７に係る各吸収性物品におけるタグの識別情報のバリエーションを示す図である。前記実施形態においては、タグ３７の一方の外表面３７７と、その反対側に存在する他方の外表面３７９とには、パンツ型おむつ１のサイズを示す「Ｌ」という識別情報が印刷により記載されていたが、変形例においては、識別情報は、パンツ型おむつ１のサイズに限定されない。
【００５９】
（変形例２）
変形例２に係る吸収性物品におけるタグ４１の一方及び他方の外表面に記載される識別情報は、図６（ａ）に示されるように、着用者の名前を書く欄を含んでいる。着用者又は使用者は、この欄に着用者の名前を記入して吸収性物品の識別情報とすることができる。
【００６０】
（変形例３）
変形例３に係る吸収性物品におけるタグ４３の一方及び他方の外表面に記載される識別情報は、図６（ｂ）に示されるように、吸収性物品の対象とする着用者の身長の目安を示す数字を含んでいる。
【００６１】
（変形例４）
変形例４に係る吸収性物品におけるタグ４５の一方及び他方の外表面に記載される識別情報は、図６（ｃ）に示されるように、タグ４５の固定先がトレーニングパンツであることを示す、吸収性物品のカテゴリーに関する情報である。
【００６２】
（変形例５）
変形例５に係る吸収性物品におけるタグ４７の一方及び他方の外表面に記載される識別情報は、図６（ｄ）に示されるように、吸収性物品の対象とする着用者が好む動物の図案を含んでいる。
【００６３】
（変形例６）
変形例６に係る吸収性物品におけるタグ４９の一方及び他方の外表面に記載される識別情報は、図６（ｅ）に示されるように、詳細情報のあるウェブサイトや、携帯端末向けウェブサイトの、ＵＲＬを記録した、光学的に読み取り可能な２次元バーコードあり、これらサイトへのアクセスを容易にすることができる。
【００６４】
（変形例７）
変形例７に係る吸収性物品におけるタグ５１の一方及び他方の外表面に記載される識別情報は、図６（ｆ）に示されるように、タグ５１の吸収性物品における固定先が、着用者の前側（腹側）であることを示す。
【００６５】
図７は、前記実施形態の変形例８及び変形例９に係る吸収性物品におけるタグの外形のバリエーションを示す図である。前記実施形態においては、タグ３７は、矩形の布帛からなり、タグ３７の一方向における中央軸線ＣＷＴにおいて折り畳まれて、ループ型を形成していたが、変形例においては、タグはこの形状に限定されない。
【００６６】
（変形例８）
変形例８に係る吸収性物品におけるタグ５３は、図７（ａ）に示されるように、平面視にて、ループ型を形成しない、１枚の布帛が模式化したサカナのシルエットの形状をとり、表面と裏面のそれぞれにサカナの図案が施されている。そして、サカナの尾びれの部分から延出している固定部５３１は、腹側接合部９１に熱融着により固定される。
【００６７】
（変形例９）
変形例９に係る吸収性物品におけるタグ５５は、図７（ｂ）に示されるように、平面視にて、ループ型を形成しない、１枚の布帛がハートの形状を有している。そしてハートの周縁の一部から延出している固定部５５１は、腹側接合部９１に熱融着により固定される。
【００６８】
このようにタグの外形は、平面視にて、動物、植物、乗り物のいずれかのシルエット、又はハート型の形状を有していてもよい。
ここで、動物のシルエットとは、イヌ、ネコ、ウサギ等、パンツ型吸収性物品の使用対象者が親しみを感じる動物のシルエットであれば、その動物の種類は、特に限定されない。
また、植物のシルエットとは、チューリップ、サクラの花、イチョウの葉等、パンツ型吸収性物品の使用対象者が親しみを感じる植物のシルエットであれば、その植物の種類は、特に限定されない。
また、乗り物のシルエットとは、クルマ、飛行機、電車等、パンツ型吸収性物品の使用対象者が親しみを感じる乗り物のシルエットであれば、その乗り物の種類は、特に限定されない。
【００６９】
このように、タグの外形が、平面視にて、動物、植物、乗り物のいずれかのシルエット、又はハート型の形状を有すると、タグにデザイン性を持たせて、着用者に吸収性物品に対する親しみや愛着を感じさせることができると共に、より視認され易く、且つ、タグの外形により着用者又は使用者が誰であるかを識別し易い。
【００７０】
（変形例１０）
図８は、前記実施形態の変形例１０に係る吸収性物品において、吸収性物品を丸めた状態で固定するための後処理部を含むタグを示す図である。なお、本変形例１０における吸収性物品も、タグ５７の構造以外は、基本的に前記実施形態と同様であり、同じ作用効果を奏するため、同様の符号を付して詳細な説明は省略する。本変形例１０においては、図８に示されるように、タグ５７が、腹側接合部９１に固定されている固定部５７１と、固定部から延在する非固定部５７３とを有する。タグ５７は、外三つ折りの折り畳み構造を有し、三つ折り状態にて、腹側部３から一番遠くに位置する面であって外部から視認可能な、一方の外表面５７５には、吸収性物品のサイズを示す「Ｌ」という識別情報が印刷により記載されている。また、一方の外表面５７５の裏面やこれに対向する面には、粘着剤が付与された粘着部５７７が設けられており、三つ折り状態にて、互いの面同士が粘着部５７７により貼り合わされている。該粘着部５７７は、タグ５７が展開されても粘着機能を失いにくく、展開状態においては、パンツ型おむつ１を丸めた状態で固定するための後処理部として使用できる。さらに、一方の外表面５７５の一方の端部には、粘着剤が付与されていない把持部５７９が設けられている。パンツ型おむつ１の使用者は、把持部５７９を把持して三つ折り状態のタグ５７を展開することができる。
【００７１】
このように、タグ５７が、パンツ型おむつ１を丸めた状態で固定するための後処理部としての粘着部５７７を含み、使用者がパンツ型おむつ１の使用後にこれを小さく丸めて粘着部５７７で止着することができ、パンツ型おむつ１の廃棄処理を円滑に行うことができると共に、パンツ型おむつ１がタグ５７とは別部材として後処理部材を備える場合に比べて、後処理部材に使用する資材を節約でき、且つ、パンツ型おむつ１の外観がすっきりする。
【００７２】
なお、タグの折り畳み構造や、形状、粘着部が設けられる位置は、上記の態様に限定されず、吸収性物品の後処理部として使用できる限り、それらは適宜変更可能である。また、後処理部の吸収性物品との止着手段も、上記のような粘着剤に限定されず、例えば、後処理部に複数のフックを設け、必要に応じて、吸収性物品における後処理部が展開されたときに前記複数のフックに対応する位置に複数のループを設けて、これらのフックと、ループ又はトップシートとが協働して、後処理部と吸収性物品とが止着される構成としてもよい。また、タグがループ型の形状を有し、タグの一方の外表面に後処理部が設けられる構成としてもよい。さらに、タグが、後処理部であってもよい。
【００７３】
図１０は、パンツ型おむつ１を接合部９で切り離す作業を模式的に示す図である。図１０に示されるように、パンツ型おむつ１の使用者は、パンツ型おむつ１の使用後に、接合部９の部分を左右の手で切り離してパンツ型おむつ１を廃棄する。このとき、タグが、接合部９を跨がないように固定されており、パンツ型おむつ１を着用者から取り外すために接合部９で切り離すときに、タグ３７が切り離しの妨げにならないので、パンツ型おむつ１を切り離して廃棄する処理を円滑に行うことができる。また、タグ３７がパンツ型おむつ１の着衣側面に固定されており、パンツ型おむつ１の着衣側面に存在するので、タグが、着用者又は使用者に視認され易い。
なお、本明細書において、「タグが接合部を跨ぐ」とは、「タグが、接合部の接合面の延長上に存在する」ことをいうものとする。また、「タグが接合部を跨がないように固定されている」とは、「タグが、接合部の接合面の延長上に存在しないように固定されている」ことをいうものとする。
【００７４】
さらに、本実施形態においては、タグ３７が、腹側接合部９１のみに固定されており、腹側接合部９１及び背側接合部９３に跨がるように固定されていないので、少なくとも腹側部３と背側部７との二部材を含むパンツ型おむつ１を着用者から取り外すために、腹側部３と背側部７とを腹側接合部９１と背側接合部９３とにおいて切り離すときに、タグ３７が切り離しの妨げにならない。また、パンツ型おむつ１を複数の部材に切り離すことができ、パンツ型おむつ１を廃棄する処理をより円滑に行うことができる。
【００７５】
上述の実施形態においては、タグ３７は、腹側接合部９１に固定されていたが、接合部を跨がないように固定されている限り、本発明に係る吸収性物品のタグの固定先はこれに限定されない。したがって、パンツ型吸収性物品の着衣側面における背側接合部９３にタグが設けられ、タグが、背側接合部９３に固定されている固定部と、固定部から延在する非固定部とを有していてもよい。
【００７６】
また、タグの固定先は、接合部に限定されず、タグが、腹側接合部以外の腹側部、背側接合部以外の背側部、又は股間部に固定されていてもよい。さらに、上述の実施形態では、タグの視認性の観点から吸収性物品の着衣側面にタグが固定されていたが、タグが、吸収性物品の肌面側に固定されていてもよい。
【００７７】
また、タグの個数も１つに限定されず、接合部を跨がないように固定されている限り、吸収性物品に複数設けられていてもよい。例えば、タグが、腹側部又は背側部の幅方向両端部における腹側接合部又は背側接合部にそれぞれ１つずつ、合計２つ設けられていてもよい。さらに、タグが３以上の複数個設けられていてもよい。
【符号の説明】
【００７８】
１    パンツ型おむつ（パンツ型使い捨て吸収性物品）
３    腹側部
７    背側部
９    接合部
９１    腹側接合部
９３    背側接合部
３７    タグ
３７１    固定部
３７２    脆弱部
３７３    非固定部
３７４    境界線
３７５、３７５    端縁
５７７    粘着部（後処理部）
【図１】
0006415423.tif 000002
【図２】
0006415423.tif 000003
【図３】
0006415423.tif 000004
【図４】
0006415423.tif 000005
【図５】
0006415423.tif 000006
【図６】
0006415423.tif 000007
【図７】
0006415423.tif 000008
【図８】
0006415423.tif 000009
【図９】
0006415423.tif 000010
【図１０】
0006415423.tif 000011